(57)【特許請求の範囲】
【請求項１】
マイクロリソグラフィ投影露光装置（１０）の照明系であって、
ａ）１次光源（３０）と、
ｂ）系瞳面（７０）と、
ｃ）照明されるマスク（１６）を配置することができるマスク平面（８６）と、
ｄ）前記系瞳面（７０）に位置する複数の２次光源（９５）を生成するように構成され、各々が該２次光源（９５）のうちの１つに関連付けられた複数の光入射ファセット（９２）を有する光学ラスタ要素（７２）と、
ｅ）反射性又は透過性のビーム偏向要素（Ｍij）のビーム偏向アレイ（４６）を含み、各ビーム偏向要素（Ｍij）が、該ビーム偏向要素（Ｍij）によって生成される偏向角を変化させることによって可変である位置において前記光入射ファセット（９２）のうちの１つの上にスポット（９０）を照明するように構成されたビーム偏向デバイスと、
ｆ）複数の前記スポット（９０）から編成された可変光パターン（ＬＰ）を前記複数の光入射ファセット（９２）の各々の上に形成することができるように前記ビーム偏向要素（Ｍij）を制御するように構成された制御ユニット（５０）と、
を含み、
１つの前記光入射ファセット（９２）上に照明される各前記スポット（９０）の合計面積は、それぞれの光入射ファセット（９２）の面積よりも小さい、
ことを特徴とする照明系。
【請求項２】
１つの前記光入射ファセット（９２）上に照明される各前記スポット（９０）の合計面積は、前記光入射ファセット（９２）のうちで最大面積を有する光入射ファセット（９２）の面積よりも少なくとも５倍、好ましくは、少なくとも１０倍、より好ましくは、少なくとも２０倍小さいことを特徴とする請求項１に記載の照明系。
【請求項３】
前記スポット（９０）は、少なくとも実質的に矩形の幾何学形状を有することを特徴とする請求項１又は請求項２に記載の照明系。
【請求項４】
所定の瞬間において、全ての光入射ファセット（９２）上に生成される前記光パターンは同一であることを特徴とする請求項１から請求項３のいずれか１項に記載の照明系。
【請求項５】
前記制御ユニット（５０）は、走査方向（Ｙ）に沿った前記光パターン（ＬＰ）の長さが前記装置（１０）の走査処理中に徐々に変更され、それに対して該走査方向に垂直な方向に沿った該光パターンの該長さが一定に留まるように前記ビーム偏向要素（Ｍij）を制御するように構成されることを特徴とする請求項１から請求項４のいずれか１項に記載の照明系。
【請求項６】
前記制御ユニット（５０）は、所定の瞬間に前記光パターンが前記走査方向（Ｙ）に沿って異なる長さを有するように前記ビーム偏向要素（Ｍij）を制御するように構成されることを特徴とする請求項５に記載の照明系。
【請求項７】
前記光入射ファセット（９２ａ、９２ｂ、９２ｃ）のうちの少なくとも一部には、遮光体（９６ａ、９６ｂ、９６ｃ）が設けられることを特徴とする請求項１から請求項６のいずれか１項に記載の照明系。
【請求項８】
少なくとも１つの光入射ファセット（９２ａ、９２ｂ、９２ｃ）には、該光入射ファセット（９２ａ、９２ｂ、９２ｃ）の対向する側に配置された１対の遮光体（９２６、９６ｂ、９６ｃ）が設けられることを特徴とする請求項７に記載の照明系。
【請求項９】
前記ビーム偏向デバイスの直近に配置されたダイヤフラム（９８）と、該ダイヤフラムを前記マイクロリソグラフィ投影露光装置（１０）の走査方向（Ｙ）に対して平行に移動させるためのアクチュエータ（１００）とを含むことを特徴とする請求項１から請求項８のいずれか１項に記載の照明系。
【請求項１０】
マイクロリソグラフィ投影露光装置（１０）の照明系であって、
ａ）系瞳面（７０）と、
ｂ）屈折性又は回折性のマイクロ要素（８８）のアレイを含み、各マイクロ要素（８８）が、光入射ファセット（９２）を有して前記系瞳面（７０）に２次光源（９５）を生成する光学ラスタ要素（７２）と、
ｃ）反射性又は透過性のビーム偏向要素（Ｍij）のビーム偏向アレイ（４６）を含み、各ビーム偏向要素が、該ビーム偏向要素によって生成される偏向角を変化させることによって変更することができる位置において前記光入射ファセット（９２）のうちの１つの上にスポット（９０）を照明するように構成されたビーム偏向デバイスと、
を含み、
前記ビーム偏向要素（Ｍij）のうちの少なくとも１つによって１つの前記光入射ファセット（９２）上に照明される各前記スポット（９０）の合計面積は、前記光入射ファセット（９２）のうちで最大面積を有する光入射ファセット（９２）の面積よりも少なくとも５倍、好ましくは、少なくとも１０倍、より好ましくは、少なくとも２０倍小さい、
ことを特徴とする照明系。
【請求項１１】
マイクロリソグラフィ投影露光装置の照明系を作動させる方法であって、
ａ）複数の光入射ファセット（９２）を有する光学ラスタ要素（７２）を照明系（１２）が含むマイクロリソグラフィ投影露光装置（１０）の照明系（１２）を準備する段階（Ｓ１）と、
ｂ）複数のスポット（９０）から編成された光パターン（ＬＰ）を前記光学ラスタ要素（７２）の前記光入射ファセット（９２）上に生成する段階（Ｓ２）と、
ｃ）マスク平面（８６）において照明される視野（１４）の幾何学形状を変更すべきであると判断する段階と、
ｄ）スポット（９０）を再配列、及び／又は除去、及び／又は追加することにより、前記光入射ファセット（９２）上の前記光パターン（ＬＰ）を変更する段階と、
を含み、
１つの前記光入射ファセット（９２）上に生成される各前記スポット（９０）の合計面積は、それぞれの前記光入射ファセット（９２）の面積よりも小さい、
ことを特徴とする方法。
【請求項１２】
前記光学ラスタ要素（７２）は、屈折性又は回折性のマイクロ要素（８８）を含み、
各マイクロ要素（８８）は、１つの光入射ファセット（９２）に関連付けられる、
ことを特徴とする請求項１１に記載の方法。
【請求項１３】
段階ａ）で準備される前記照明系は、反射性又は透過性のビーム偏向要素（Ｍij）のビーム偏向アレイ（４６）を含むビーム偏向デバイスを含み、
前記光パターン（ＬＰ）は、前記ビーム偏向要素（Ｍij）によって生成される偏向角を変化させることによって変更される、
ことを特徴とする請求項１１又は請求項１２に記載の方法。
【請求項１４】
１つの前記光入射ファセット（９２）上に生成される各前記スポット（９０）の合計面積は、前記光入射ファセット（９２）のうちで最大面積を有する光入射ファセット（９２）の面積よりも少なくとも５倍、好ましくは、少なくとも１０倍、より好ましくは、少なくとも２０倍小さいことを特徴とする請求項１１から請求項１３のいずれか１項に記載の方法。
【請求項１５】
スポット（９０）の２次元アレイが、各光入射ファセット（９２）上に照明されることを特徴とする請求項１１から請求項１４のいずれか１項に記載の方法。
【請求項１６】
スポット（９０）の行（Ｒi）が、同時に照明されるか又は再度暗くされることを特徴とする請求項１５に記載の方法。
【請求項１７】
前記ビーム偏向デバイスの直近に配置されたダイヤフラム（９８）が、前記マイクロリソグラフィ投影露光装置（１０）の走査方向（Ｙ）に沿って前記照明系（１２）の光軸（ＯＡ）に対して少なくとも実質的に垂直に移動されることを特徴とする請求項１３に記載の方法。
【発明の詳細な説明】
【技術分野】
【０００１】
一般的に、本発明は、マイクロリソグラフィ露光装置においてマスクを照明するための照明系に関し、具体的にはミラーアレイ又は他のビーム偏向要素を含むそのような系に関する。本発明はまた、そのような系を作動させる方法に関する。
【背景技術】
【０００２】
マイクロリソグラフィ（フォトリソグラフィ又は単純にリソグラフィとも呼ぶ）は、集積回路、液晶ディスプレイ、及び他の微細構造デバイスの製作のための技術である。マイクロリソグラフィの工程は、エッチング処理との関連で基板、例えば、シリコンウェーハ上に形成された薄膜積層体内に特徴部をパターン形成するのに用いられる。製作の各階層において、ウェーハは、最初に、深紫外（ＤＵＶ）光のような放射線に敏感な材料であるフォトレジストで被覆される。次に、上部にフォトレジストを有するウェーハは、投影露光装置内で投影光に露光される。この装置は、パターンを含むマスクをフォトレジスト上に、フォトレジストが、マスクパターンによって決められるある一定の位置においてのみ露光されるように投影する。露光の後に、フォトレジストは現像されてマスクパターンに対応する像が生成される。次に、エッチング処理が、このパターンをウェーハ上の薄膜積層体へと転写する。最後にフォトレジストが除去される。異なるマスクを用いたこの工程の繰返しにより、多層微細構造構成要素が生じる。
【０００３】
一般的に、投影露光装置は、マスクを照明するための照明系、マスクを整列させるためのマスク台、投影対物系、及びフォトレジストで被覆されたウェーハを整列させるためのウェーハアラインメント台を含む。照明系は、マスク上で、例えば、矩形スリット又は湾曲スリットの形状を有することができる視野を照明する。
【０００４】
現在の投影露光装置では、２つの異なる種類の装置の間で区別を付けることができる。一方の種類では、ウェーハ上の各対象部分が、マスクパターン全体を対象部分の上に１回で露光することによって照射される。そのような装置は、一般的に、ウェーハステッパと呼ばれる。一般的に、ステップアンドスキャン装置又はスキャナと呼ばれる他方の種類の装置では、各対象部分は、投影ビームの下で走査方向に沿ってマスクパターンを漸次的に走査し、同時に基板をこの方向に対して平行又は反平行に同期して移動させることによって照射される。ウェーハの速度とマスクの速度との比は、通常は１よりも小さく、例えば、１：４である投影対物系の倍率に等しい。
【０００５】
「マスク」（又はレチクル）という用語は、パターン形成手段として広義に解釈すべきであることは理解されるものとする。一般的に、用いられるマスクは、透過性又は反射性のパターンを含み、例えば、バイナリ型、交互位相シフト型、減衰位相シフト型、又は様々な混成マスク型のものとすることができる。しかし、能動マスク、例えば、プログラマブルミラーアレイとして達成されるマスクも存在する。同様に、プログラマブルＬＣＤアレイを能動マスクとして用いることができる。
【０００６】
微細構造デバイスを製造するための技術が進歩すると、照明系に対しても絶えず高まる要求が存在する。理想的には、照明系は、マスク上の照明視野の各点を明確に定められた放射照度及び角度分布を有する投影光で照明する。角度分布という用語は、マスク平面内の特定の点に対して収束する光束の合計光エネルギが、光束を構成する光線の様々な方向の間で如何に配分されるかを表している。
【０００７】
マスク上に入射する投影光の角度分布は、通常、フォトレジスト上に投影されるパターンの種類に適合される。例えば、比較的大きいサイズの特徴部は、小さいサイズの特徴部とは異なる角度分布を必要とする可能性がある。投影光の最も一般的に用いられる角度分布は、従来照明設定、環状照明設定、二重極照明設定、及び四重極照明設定と呼ばれる。これらの用語は、照明系の系瞳面内の放射照度分布を意味する。例えば、環状照明設定では、系瞳面内の環状領域のみが照明される。この場合、投影光の角度分布には小さい角度範囲しか存在せず、従って、全ての光線が、類似の角度でマスク上に傾斜して入射する。
【０００８】
当業技術では、望ましい照明設定を得るために、マスク平面内の投影光の角度分布を修正する様々な手段が公知である。最も簡単な場合には、１つ又はそれよりも多くの開口を含む絞り（ダイヤフラム）が、照明系の瞳面に位置決めされる。瞳面内の位置は、マスク平面のようなフーリエ関連視野平面内の角度に変換されるので、系瞳面内の開口のサイズ、形状、及び位置は、マスク平面内の角度分布を決める。しかし、照明設定のいかなる変更も絞りの交換を必要とする。照明設定の調節は、僅かに異なるサイズ、形状、又は位置を有する開口を有する非常に多数の絞りを必要とすることになるので、上述のことによって照明設定を最終的に調節するのは困難になる。
【０００９】
従って、多くの一般的な照明系は、少なくともある一定の範囲で瞳面の照明を連続的に変更することを可能にする調節可能な要素を含む。従来、この目的でズーム対物系及びアキシコン要素対を含むズームアキシコン系が用いられている。アキシコン要素は、一方の側に円錐面を有し、通常は反対側が平面である屈折レンズである。一方が円錐凸面を有し、他方が補完的な円錐凹面を有する１対のそのような要素を設けることにより、光エネルギをラジアルにシフトさせることができる。このシフトは、アキシコン要素の間の距離の関数である。ズーム対物系は、瞳面内の照明区域のサイズを変更することを可能にする。
【００１０】
マスク平面に異なる角度分布を生成する柔軟性を更に高めるために、瞳面を照明するミラーアレイを用いることが提案されている。
【００１１】
ＥＰ  １  ２６２  ８３６  Ａ１では、ミラーアレイは、１０００個を超える微細なミラーを含むマイクロ電気機械系（ＭＥＭＳ）として達成される。ミラーの各々は、互いに対して垂直な２つの異なる平面内で傾斜させることができる。従って、そのようなミラーデバイス上に入射する放射線を半球の（実質的に）あらゆる望ましい方向に反射することができる。ミラーアレイと瞳面の間に配置されたコンデンサーレンズは、ミラーによって生成される反射角を瞳面内の位置に変換する。この公知の照明系は、各々が１つの特定の微細なミラーに関連付けられ、かつこのミラーを傾斜させることによって瞳面にわたって自由に移動可能な複数の円形スポットで瞳面を照明することを可能にする。
【００１２】
類似の照明系が、ＵＳ  ２００６／００８７６３４  Ａ１、ＵＳ  ７，０６１，５８２  Ｂ２、及びＷＯ  ２００５／０２６８４３  Ａ２から公知である。
【００１３】
マスク平面内で照明される視野の幾何学形状は、通常、複数の構成要素によって決められる。この点に関して最も重要な構成要素のうちの１つは、系瞳平面に複数の２次光源を生成する光学ラスタ要素である。２次光源によって放出される光束の角度分布は、マスク平面内で照明される視野の幾何学形状に直接関連する。光学ラスタ要素の光学特性、例えば、直交方向の屈折力を適切に判断することにより、望ましい視野幾何学形状を得ることができる。
【００１４】
通常は照明視野の幾何学形状を少なくともある一定の範囲で変更することができることが望ましい。光学ラスタ要素の光学特性は容易には変更することができないので、視野絞り対物系によってマスク上に結像される視野絞りが設けられる。通常、視野絞りは、マスク内で照明される視野の境界を形成するように個別に移動させることができる複数のブレードを含む。また、視野絞りは、照明視野の鮮明な縁部を保証する。スキャナ型の装置では、各走査処理の開始及び終了それぞれにおいて照明視野を開放及び遮断するために、調節可能な視野絞りが必要である。
【００１５】
照明視野の幾何学形状が、調節可能な視野絞りを用いて変更される場合には、投影光の一部分が、視野絞りのブレードによって遮蔽されるので、光損失が不可避である。
【先行技術文献】
【特許文献】
【００１６】
【特許文献１】ＥＰ  １  ２６２  ８３６  Ａ１
【特許文献２】ＵＳ  ２００６／００８７６３４  Ａ１
【特許文献３】ＵＳ  ７，０６１，５８２  Ｂ２
【特許文献４】ＷＯ  ２００５／０２６８４３  Ａ２
【特許文献５】ＷＯ  ２００５／０７８５２２  Ａ
【特許文献６】ＵＳ  ２００４／００３６９７７  Ａ１
【特許文献７】ＵＳ  ２００５／００１８２９４  Ａ１
【発明の概要】
【発明が解決しようとする課題】
【００１７】
本発明の目的は、より少ない光損失しか伴わずに照明視野の幾何学形状を変更することを可能にする照明系を提供することである。
【課題を解決するための手段】
【００１８】
本発明によると、上述の目的は、１次光源、系瞳面、及び照明されるマスクを配置することができるマスク平面を含む照明系によって達成される。この照明系は、系瞳面内に位置する複数の２次光源を生成するように構成された光学ラスタ要素を更に含む。光学ラスタ要素は、各々が２次光源のうちの１つに関連付けられた複数の光入射ファセットを有する。照明系のビーム偏向デバイスは、反射性又は透過性のビーム偏向要素のビーム偏向アレイを含む。各ビーム偏向要素は、これらのビーム偏向要素によって生成される偏向角を変化させることによって可変である位置において、光入射ファセットのうちの１つの上のスポットを照明するように構成される。スポットから編成される可変光パターンを複数の光入射ファセットのうちの少なくとも１つの上に形成することができるように、制御ユニットが、ビーム偏向要素を制御するように構成される。
【００１９】
本発明は、光学ラスタ要素の光ファセット上の位置が、２次光源によって放出される光の角度に変換されることを利用する。従って、ファセット上で照明される各光パターンは、この光入射ファセットに関連付けられた２次光源によって放出される光の異なる角度分布に関連付けられる。２次光源の角度分布は、マスク平面内の照明視野の幾何学形状に変換し戻されるので、光入射ファセット上で照明される光パターンは、マスク平面内の照明視野の幾何学形状に対して１対１の対応を有する。光学収差が不在の場合には、照明視野は、光学ラスタ要素の光入射ファセット上に形成された光パターンの像の重ね合わせである。
【００２０】
ビーム偏向デバイスの具備により、光学ラスタ要素の光入射ファセット上で照明されるスポットの位置を正確に変更することが可能になる。異なる光パターンを生成するためには、ビーム偏向要素によって照明されるスポットが、光入射ファセットの最大合計面積よりも十分小さい合計面積を有するビーム偏向要素によって照明されることだけが必要である。好ましくは、スポット面積は、光入射ファセットのあらゆる上述の最大合計面積よりも少なくとも５倍、より好ましくは、少なくとも１０倍、最も好ましくは、少なくとも２０倍小さい。
【００２１】
スポットが、光入射ファセットの少なくとも実質的に完全な区域を照明するように決められるビーム偏向デバイスを含む従来技術の照明系とは対照的に、本発明の実質的に小さいスポットサイズ（ファセットの面積と比較した場合に）は、光学ラスタ要素上で照明視野の幾何学形状が符号化される一種の照明微細構造を生成することを可能にする。
【００２２】
この微細構造を変化させることにより、調節可能な視野絞りがこの目的に用いられる場合にそうであるように、実質的な光損失を被ることなく照明視野の幾何学形状を変更することができる。更に、視野絞りを完全に省くこと、同じく視野絞り対物系を完全に省くことも可能であり、それによって照明系の全体のレイアウトが大きく簡略化される。それにも関わらず視野絞りが設けられる場合には、様々な幾何学形状は、主にビーム偏向デバイスによって判断されることになり、それに対して視野絞りは、専ら鮮明な縁部を保証し、投影光のごく僅かな部分しか遮蔽しない。
【００２３】
ビーム偏向要素によって光入射ファセット上で照明されるスポットは、あらゆる任意の幾何学形状を有することができる。これらの幾何学形状は、全てのスポットにおいて等しくなくてもよい。例えば、異なるスポットサイズを有する矩形スポット、又は矩形スポットと三角形スポットとの組合せを考えることができる。好ましくは、スポットは、隣接するスポット間にいかなる間隙も残らないか、又はごく僅かな間隙しか残らないように、大きい区域へと編成することができる幾何学形状を有する。通常は、光入射ファセット上で照明されるスポットの幾何学形状は、主に、マイクロミラー上に入射する光の角度分布に依存する。マイクロミラーの前方に配置されるマイクロレンズアレイは、望ましいスポット幾何学形状をもたらす角度分布を生成するのに用いることができる。
【００２４】
一実施形態では、スポットは、少なくとも実質的に矩形の幾何学形状を有する。この矩形幾何学形状は、そのようなスポットを列に沿って並べることができ、その後（続いて）これらの列を単一の光入射ファセット上で照明されるより大きい矩形区域へと組み合わせることができることから有利である。
【００２５】
通常は、所定の瞬間において、照明される全ての光入射ファセット上に生成される光パターンが等しい場合は好ましいことになる。それによって強度が照明視野にわたって少なくとも実質的に等しくなるように、全ての２次光源が、マスク平面内で同じ視野を照明することが保証される。しかし、他の場合には、照明視野内である一定の強度プロフィールを有することが望ましい場合がある。例えば、スキャナ型の一部の投影露光装置では、装置の走査方向に対して垂直に延びる縁部で滑らかに増加及び減少する強度を有する強度プロフィールを有することが望ましい。この場合、所定の瞬間において照明される光入射ファセット上に異なる光パターンが存在すべきである。
【００２６】
一実施形態では、装置の走査処理中に、走査方向に沿った光パターンの長さが徐々に変更され、それに対して、走査方向に対して垂直な方向に沿った光パターンの長さが一定に留まるように、制御ユニットが、ビーム偏向要素を制御するように構成される。この構成は、各走査処理の開始及び終了において調節可能な視野絞りの機能を模倣するのに用いることができる。
【００２７】
照明系内の１次光源としてパルスレーザが用いられる場合には、光パターンの変化をレーザのパルス繰返し数と同期させなければならない。
【００２８】
そのような同期は、光入射ファセットのうちの少なくとも一部に遮光体が設けられる場合は必要ではないと考えられる。これらの遮光体の具備により、遮光体がスポットのうちのより多くのものを徐々に遮光するように、光入射パターンを光入射ファセットにわたって連続的に移動させることが可能になる。更に、それによって光パターンのサイズ、従って、マスク平面内で照明される視野のサイズの段階的な縮小が生じる。
【００２９】
この関連において、少なくとも１つの光入射ファセットには、光入射ファセットの対向する側に配置された遮光体対が設けられるように考えることができる。そのような構成は、走査処理の開始及び終了それぞれにおいて、照明視野を走査方向に沿って増幅及び減幅すべきである場合に特に有利である。
【００３０】
別の実施形態によると、照明系は、ビーム偏向デバイスの直近に配置されたダイヤフラムを含む。ダイヤフラムをマイクロリソグラフィ投影露光装置の走査方向に対して平行に移動させるために、アクチュエータが設けられる。ダイヤフラムが、ビーム偏向要素に関連付けられた光束内に連続的又は断続的に移動すると、これらの光束の増加部分又は減少部分は、ダイヤフラムによって遮蔽されることになる。例えば、最初に、マスク上で照明される視野内のある一定の区域の照明にのみ寄与する光束が遮蔽される場合に、ダイヤフラムが移動し始めると、この区域は暗くなることになる。一実施形態では、この区域は、ダイヤフラムの移動が、各走査処理の開始及び終了において必要とされる一般的な視野幾何学形状変化をもたらすように、走査方向に対して垂直に延びる線である。
【００３１】
ビーム偏向要素は、角度をその間に形成する２つの傾斜軸によって傾斜させることができるミラーとして構成することができる。別の実施形態では、ビーム偏向要素は、電気光学要素又は音響光学要素である。
【００３２】
本発明によると、方法に関する上述の目的は、ａ）複数の光入射ファセットを有する光学ラスタ要素を含むマイクロリソグラフィ投影露光装置の照明系を準備する段階と、ｂ）個別スポットから編成される光パターンを光学ラスタ要素の光入射ファセット上に生成する段階と、ｃ）マスク平面内で照明される視野の幾何学形状を変更すべきであると判断する段階と、ｄ）スポットを再配列、及び／又は除去、及び／又は追加することによって光入射ファセット上の光パターンを変更する段階とを含む方法によって解決される。
【００３３】
本発明による照明系に関して上記に行った記載の内容は、必要な変更を加えた場合にも適用される。
【００３４】
本発明の様々な特徴及び利点は、添付図面と併せて以下の詳細説明を参照することによってより容易に理解することができるであろう。
【図面の簡単な説明】
【００３５】
【図１】本発明による投影露光装置のごく簡単な斜視図である。
【図２】図１に示す投影露光装置に収容される照明系を通る子午断面図である。
【図３】図２の照明系内に含まれるミラーアレイの斜視図である。
【図４】図３のミラーアレイ及び光学ラスタ要素の第１のマイクロレンズを示す図２の拡大抜粋図である。
【図５ａ】光学ラスタ要素の第１及び第２のマイクロレンズ、並びにコンデンサーレンズを示す図２の拡大抜粋図である。
【図５ｂ】２次光源が形成された系瞳面上の上面図である。
【図６】矩形の光パターンによって照明された一部の光入射ファセットを有する光学ラスタ要素上の上面図である。
【図７】矩形の光パターンによって照明された単一の光入射ファセット上の上面図である。
【図８】走査処理の開始において異なる光パターンで照明された図７に示す光入射ファセット上の一連の上面図である。
【図９】走査処理の終了において異なる光パターンで照明された図７に示す光入射ファセットの一連の上面図である。
【図１０】異なる光パターンで照明された３つの隣接する光入射ファセット上上面図である。
【図１１ａ】走査方向に沿った照明視野の強度プロフィールを示す概略図である。
【図１１ｂ】走査方向に沿った照明視野の強度プロフィールを示す概略図である。
【図１１ｃ】走査方向に沿った照明視野の強度プロフィールを示す概略図である。
【図１１ｄ】走査方向に沿った照明視野の強度プロフィールを示す概略図である。
【図１２ａ】異なる数の光ファセットが異なる光パターンで照明された光学ラスタ要素上の上面図である。
【図１２ｂ】異なる数の光ファセットが異なる光パターンで照明された光学ラスタ要素上の上面図である。
【図１２ｃ】異なる数の光ファセットが異なる光パターンで照明された光学ラスタ要素上の上面図である。
【図１３】ダイヤフラムが光路内へと移動し始める場合のミラーアレイ、コンデンサー、並びに光学ラスタ要素の第１及び第２のマイクロレンズの部分的に透視図法を用いた図である。
【図１４】本発明によるマイクロリソグラフィ投影露光装置の照明系を作動させる方法の流れ図である。
【発明を実施するための形態】
【００３６】
Ｉ．投影露光装置の一般的な構造
図１は、投影光ビームを生成するための照明系１２を含む投影露光装置１０の非常に簡単な斜視図である。投影光ビームは、微小構造１８を含むマスク１６上の視野１４を照明する。この実施形態では、照明視野１４は、ほぼリングセグメントの形状を有する。しかし、他の例えば矩形形状の照明視野１４も考えられている。
【００３７】
投影対物系２０は、照明視野１４内の構造１８を基板２４上に堆積させた感光層２２、例えば、フォトレジスト上に結像する。シリコンウェーハによって形成することができる基板２４は、感光層２２の上面が、投影対物系２０の像平面に厳密に位置するようにウェーハ台（図示せず）上に配置される。マスク１６は、投影対物系２０の物体平面内にマスク台（図示せず）を用いて位置決めされる。投影対物系２０は、１よりも小さい倍率を有するので、照明視野１４内にある構造１８の縮小像１４’が、感光層２２上に投影される。
【００３８】
投影中には、マスク１６と基板２４は、Ｙ方向に一致する走査方向に沿って移動する。従って、照明視野１４は、照明視野１４よりも大きい構造化区域を連続的に投影することができるようにマスク１６にわたって走査される。多くの場合に、そのような種類の投影露光装置を「ステップアンドスキャン装置」又は簡単に「スキャナ」と呼ぶ。マスク１６の速度と基板２４の速度の間の比は、投影対物系２０の倍率に等しい。投影対物系２０が像を反転する場合には、マスク１６と基板２４とは、図１に矢印Ａ１とＡ２で示しているように反対方向に移動する。しかし、本発明は、マスク１６と基板２４がマスクの投影中に移動しないステッパツールに対して用いることもできる。
【００３９】
図示の実施形態では、照明視野１４は、投影対物系２０の光軸２６に対して中心に位置しない。そのような変形照明視野１４は、ある一定の種類の投影対物系２０において必要である場合がある。他の実施形態では、照明視野１４は、光軸２６に対して中心に位置する。
【００４０】
ＩＩ．照明系の一般的な構造
図２は、図１に示している照明系１２を通るより詳細な子午断面図である。明瞭化の目的で、図２の図は大きく簡略化されており、正確な縮尺のものではない。これは、特に、異なる光学ユニットをごく少数の光学要素だけによって表していることを意味する。現実には、これらのユニットは、かなり多くのレンズ及び他の光学要素を含むことができる。
【００４１】
照明系１２は、ハウジング２８、及び図示の実施形態ではエキシマレーザ３０として達成される光源を含む。エキシマレーザ３０は、約１９３ｎｍの波長を有する投影光を放出する。他の種類の光源及び他の波長、例えば、２４８ｎｍ又は１５７ｎｍも考えられている。
【００４２】
図示の実施形態では、エキシマレーザ３０によって放出された投影光は、ビーム拡大ユニット３２に入射し、ビーム拡大ユニット３２では、光ビームが、幾何学的光束を変化させることなく拡大される。ビーム拡大ユニット３２は、例えば、図２に示しているようにいくつかのレンズを含むことができ、又はミラー配列として達成することができる。投影光は、ビーム拡大ユニット３２から実質的に平行なビーム３４として射出する。他の実施形態では、ビームは、有意な発散を有することができる。平行ビーム３４は、照明系１２の全体の寸法を縮小するために設けられた平面折り返しミラー３６上に入射する。
【００４３】
折り返しミラー３６からの反射の後に、ビーム３４は、マイクロレンズ４０のアレイ３８上に入射する。マイクロレンズ４０の後側焦点面内、又はその近くにはミラーアレイ４６が配置される。以下により詳細に説明するが、ミラーアレイ４６は、好ましくは、互いに対して垂直に整列した２つの傾斜軸によって互いに独立して傾斜させることができる複数の小さい個別ミラー要素Ｍijを含む。ミラー要素Ｍijの合計数は、１００を超えるとすることができ、又は更に数１０００を超えるとすることができる。ミラー要素Ｍijの反射面は平面とすることができるが、付加的な屈折力が望ましい場合は湾曲したものとすることができる。それとは別に、ミラー面には、回折構造を設けることができる。この実施形態では、ミラー要素Ｍijの数は、マイクロレンズアレイ３８内に含まれるマイクロレンズ４０の数に等しい。従って、各マイクロレンズ４０は、収束光束をミラーアレイ４６の１つのミラー要素Ｍij上に誘導する。
【００４４】
個別ミラー要素Ｍijの傾斜移動は、照明系１２の全体的系制御器５２に接続したミラー制御ユニット５０によって制御される。ミラー要素Ｍijの望ましい傾斜角を設定するのに用いられるアクチュエータは、各個別ミラー要素Ｍijが、制御信号に応じて変更することができる反射角によって入射光線を反射することができるように、ミラー制御ユニット５０から制御信号を受け取る。図示の実施形態では、個別ミラー要素Ｍijを配置することができる連続傾斜角度範囲が存在する。他の実施形態では、アクチュエータは、限られた数の離散傾斜角度しか設定することができないように構成される。
【００４５】
図３は、簡略化の目的で８・８＝６４個のミラー要素Ｍijのみを含むミラーアレイ４６の斜視図である。ミラーアレイ４６上に入射する光束５４ａは、ミラー要素Ｍijの傾斜角に依存して異なる方向に反射される。この概略図では、ミラー要素Ｍ35とＭ77によって反射される光束５４ｂ、５４ｂ’が、それぞれ異なる方向に反射されるように、特定のミラー要素Ｍ35が、別のミラー要素Ｍ77に対して２つの傾斜角５６ｘ、５６ｙの回りに傾斜されると仮定している。
【００４６】
ミラーアレイ４６は、構造上に入射する光線を適切な制御信号の印加を受けて異なる構造部分において個別に変更することができる様々な方向に誘導することを可能にするあらゆる他の偏向構造によって置換することができる。そのような別の構造は、例えば、電気光学要素又は音響光学要素を含むことができる。そのような要素では、適切な材料を超音波又は電界それぞれに露出することによって屈折率を変更することができる。これらの効果は、入射光を様々な方向に誘導する屈折率格子を製造するのに利用することができる。
【００４７】
再度図２を参照すると、ミラー要素Ｍijから反射された光束は、第１のコンデンサー５８上に入射し、コンデンサー５８は、若干発散する光束が、光学インテグレーター７２上に、この時点では少なくとも実質的に平行な光束として入射することを保証し、光学インテグレーター７２は、複数の２次光源を生成する。光学インテグレーター７２は、光線と照明系１２の光軸ＯＡの間に形成される角度範囲を拡大する。他の実施形態では、光学インテグレーター７２上に入射する光束が大きい発散を有するように、第１のコンデンサー５８は省かれる。
【００４８】
図示の実施形態では、光学インテグレーター７２は、各々が、平行な円柱マイクロレンズの２つの直交アレイを含む２つの基板７４、７６を含むフライアイレンズとして達成される。光学インテグレーターの他の構成、例えば、回転対称な面を有するが、矩形の境界を有するマイクロレンズのアレイを含むインテグレーターも考えられている。照明系１２に適する様々な種類の光学インテグレーターが説明されているＷＯ  ２００５／０７８５２２  Ａ、ＵＳ  ２００４／００３６９７７  Ａ１、及びＵＳ  ２００５／００１８２９４  Ａ１を参照されたい。光学インテグレーター７２の機能に対しては、図５ａ及び図５ｂを参照して以下により詳細に説明する。
【００４９】
参照番号７０は、マスク１４上に入射する光の角度分布を実質的に形成する照明系１２の系瞳面を表している。系瞳面７０は、通常は平面又は若干湾曲したものであり、光学インテグレーター７２内、又はその直近に配置される。系瞳面７０内の角度光分布は、その後の視野平面内の強度分布へと直接変換されるので、光学インテグレーター７２は、マスク１６上の照明視野１４の基本的な幾何学形状を実質的に決める。光学インテグレーター７２は、走査方向ＹよりもＸ方向により大きく角度範囲を拡大するので、照明視野１４は、走査方向Ｙに沿ってよりもＸ方向に沿って大きい寸法を有する。
【００５０】
光学インテグレーター７２によって生成された２次光源から射出する投影光は、図２では簡略化の目的で単一のレンズだけによって表している第２のコンデンサー７８に入射する。第２のコンデンサー７８は、系瞳面７０と、視野絞り８２が配置されたその後の中間視野平面８０の間のフーリエ関係を保証する。第２のコンデンサー７８は、２次光源によって生成された光束を中間視野平面８０内で重ね合わせ、それによって中間視野平面８０の非常に均一な照明を提供する。
【００５１】
視野絞り８２は、複数の可動ブレードを含むことができ、マスク１６上の照明視野１４の鮮明な縁部を保証する。ブレードは、異なる寸法を有する新しいマスクを投影される時だけではなく、マスク１６上の各点が、同じ量の光エネルギを受けることを保証するために、各走査処理の開始及び終了においても移動される。
【００５２】
視野絞り対物系８４は、中間視野平面８０と、マスク１６が配置されたマスク平面８６の間に光学共役性を与える。従って、視野絞り８２は、視野絞り対物系８４によってマスク１６上に鮮明に結像される。以下に説明するが、視野絞り８２及び視野絞り対物系８４は、他の実施形態では省くことができる。
【００５３】
ＩＩＩ．照明系の機能及び制御
図４は、ミラーアレイ４６、第１のコンデンサー５８、及び光学インテグレーター７２の第１の基板７４上に形成された第１のマイクロレンズ８８を示す図２の抜粋図である。この実施形態では、マイクロレンズ８８は回転対称であるが、正方形の境界線を有する。他の実施形態では、各マイクロレンズは、交差する２つの円柱マイクロレンズで形成される。
【００５４】
図４に例示しているように、各ミラー要素Ｍijは、第１のマイクロレンズ８８のうちの１つの光入射ファセット９２上に小さいスポットを照明する光束Ｌijを生成する。スポットの位置は、ミラー要素Ｍijを傾斜させることによって変更することができる。スポット９０の幾何学形状は、特に、アレイ３８のマイクロレンズ４０の光学特性及びミラー要素Ｍijの光学特性に依存する。一部の実施形態では、スポット９０の幾何学形状は円形であり、以下に説明する他の実施形態では、幾何学形状はほぼ矩形であり、特に、正方形である。
【００５５】
図４で分るように、スポット９０の直径Ｄは、照明される第１のマイクロレンズ８８の入射ファセット９２の直径よりも小さい。一般的に、第１のマイクロレンズ８８の光入射ファセット９２上で照明される各スポット９０の合計面積は、それぞれの光入射ファセット９２の面積よりも有意に小さく、例えば、少なくとも５倍、好ましくは、少なくとも１０倍、より好ましくは、少なくとも２０倍小さくなければならない。光入射ファセット９２が異なる面積を有し、これらのファセットのうちのいずれの上でも各スポット９０を生成することができる場合には、光入射ファセット９２の最大面積を基準とすることができる。スポット９０が、第１のマイクロレンズ８８の光入射ファセット９２と比較して十分に小さい場合には、光入射ファセット９２上に異なる光パターンを生成することができる。光パターンは、ミラー制御ユニット５０を用いてミラー要素Ｍijを適切に制御することによって容易に変更することができる。
【００５６】
図５ａを参照して、光入射ファセット９２上に異なる光パターンを照明することによって生成される効果を解説する。この図は、光学インテグレーター７２、第２のコンデンサー７８、及び中間視野平面８０を示す図２の拡大抜粋図であり、正確な縮尺の図ではない。簡略化の目的で、光学インテグレーター７２からは、第１のマイクロレンズ８８と第２のマイクロレンズ９４との２つの対のみを示している。上述の場合のように、時によっては視野ハニカムレンズ及び瞳ハニカムレンズとも呼ぶマイクロレンズ８８、９４は、例えば、回転対称な反射面及び矩形の境界線を有する個別マイクロレンズとして、又は図２に示しているように交差円柱マイクロレンズとして構成することができる。マイクロレンズ８８、９４は、照明系１２の光軸ＯＡに対して垂直な少なくとも１つの方向に沿って非ゼロ屈折力を有することしか必要とされない。
【００５７】
隣接するマイクロレンズ８８、９４の各対は、２次光源を生成する。図５ａの上側半分では、それぞれ実線、点線、及び破線で例示している収束光束Ｌ1a、Ｌ2a、及びＬ3aは、第１のマイクロレンズ８８の光入射ファセット９２の異なる点上に入射すると仮定している。２つのマイクロレンズ８８、９４及びコンデンサー７８を通過した後に、各光束Ｌ1a、Ｌ2a、及びＬ3aは、それぞれ焦点Ｆ1、Ｆ2、及びＦ3に収束する。従って、図５ａの上側半分から、一方で光線が光入射ファセット９２上に入射する位置と、この光線が中間視野平面８０（又はあらゆる他の共役視野平面）を通過する位置との間で１対１の対応が存在することが明らかになる。その結果、第１のマイクロレンズ８８の光入射ファセット上で照明される領域を変更することにより、中間視野平面８０内で照明される視野（従って、マスク平面８６内で照明される視野１４）の寸法を変更することができる。この領域は、図４を参照して上述したミラーデバイス４６を用いて非常に有効に変更することができる。
【００５８】
当然ながら、これらの考察は、Ｘ方向とＹ方向に対して別々に適用される。従って、Ｘ方向とＹ方向においてそれぞれ別々に光入射ファセット９２の照明を変更することにより、照明視野１４の幾何学形状をＸ方向とＹ方向で独立して変更することができる。言い換えれば、第１のマイクロレンズ８８の光入射ファセット９２上で照明される区域が適切に決められる場合には、中間視野平面８０内のほぼあらゆる任意の幾何学形状の照明視野を得ることができる。
【００５９】
図５ａの下側半分は、平行光束Ｌ1b、Ｌ2b、及びＬ3bが、第１のマイクロレンズ８８の光入射ファセット９２の異なる区域上に入射する場合を示している。光束は、第２のマイクロレンズ９４内に位置する共通焦点Ｆに集束され、その後、中間視野平面８０をこの時点で前と同様に平行に通過する。上述の場合のように、光束Ｌ1b、Ｌ2b、及びＬ3bが光入射ファセット９２上に入射する領域は、中間視野平面内で照明される領域に変換されることが分る。
【００６０】
図５ａでは、系瞳面７０が、第２のマイクロレンズ９４の直後に位置決めされることを仮定している。図５ａの上側半分に例示しているように、強く収束する光束Ｌ1a、Ｌ2a、及びＬ3aの場合には、光束Ｌ1a、Ｌ2a、及びＬ3aは、第２のマイクロレンズ９４の射出ファセットよりも若干大きい領域内で系瞳平面７０と交わる。図５ａの下側半分に例示しているように、平行光束Ｌ1a、Ｌ2a、及びＬ3aの場合には、光束Ｌ1b、Ｌ2b、及びＬ3bは、第２のマイクロレンズ９４の射出ファセットよりも大幅に小さい領域内で系瞳平面７０と交わる。多くの場合に、光学インテグレーター７２上に入射する光は若干発散し、これは、図５ａの上側半分に示しているものと下側半分内に示しているものとの間のどこかの箇所の光入射ファセット９２上の照明状態に対応する。そのような場合には、２次光源は、系瞳平面７０上の上面図である図５ｂに示しているような幾何学形状を有することができる。２次光源を正方形９５で示しており、円９７は、系瞳面の有効直径を示している。１とは異なるアスペクト比を有する照明視野を得るために、各２次光源９５から放出される光は、通常はＸ方向とＹ方向とに沿って異なる発散を有することになる。
【００６１】
上述したものでは、２次光源９５によって照明される視野が重ね合わさるように、全ての第１のマイクロレンズ８８が同じ方式で照明されることを仮定した。照明視野内の強度が一定ではなく、少なくとも１つの方向に沿ってある一定の分布を有するべき場合には、第１のマイクロレンズ８８の光入射ファセット９２を異なって照明することができる。
【００６２】
スポット９０の幾何学形状によっては、第１のマイクロレンズ８８の光入射ファセット９２上で一定の放射照度で連続領域を照明することができない可能性がある。例えば、スポットが円形の幾何学形状を有する場合には、隣接するスポット９０の間に（小さい）間隙が残るか、又はスポット９０が部分的に重なり合うかのいずれかであるように光入射ファセット９２上にこれらのスポットを配置することができる。この理由から、以下では光入射ファセット上で照明される領域は、間隙を含むことができる光パターン、又は間隙を含むことができない光パターンと呼ぶことにし、この領域内では、２つ又はそれよりも多くのスポット９０が完全又は部分的に重なり合う場合に異なる非ゼロ強度を発生させることができる。
【００６３】
一実施形態では、スポット９０は、隣接するスポット間に（少なくとも近似的に）１つの非ゼロ強度のみを有し、いかなる間隙も持たない矩形光パターンを生成することができるように正方形又は矩形の幾何学形状を有する。
【００６４】
これを７・７個の第１のマイクロレンズ８８のアレイを示す光学インテグレーター７２上の上面図である図６に例示している。第１のマイクロレンズ８８の境界線は、各々を異なる又は等しい光パターンで個別に照明することができる正方形の規則的な格子を形成する。図６に示している構成では、太実線で囲んだ２つの極Ｐ１、Ｐ２内に位置する光入射ファセット９２のみが照明されることを仮定している。極Ｐ１、Ｐ２は、光学インテグレーター７２の反対辺に対称に配置され、ほぼＴ字形である。
【００６５】
従来技術の方式とは対照的に、極Ｐ１、Ｐ２は完全には照明されず、各第１のマイクロレンズ８８の光入射ファセット９２上で均等に繰り返される矩形の光パターンＬＰで照明される。更に、各光パターン９４は、線に沿って順次配置された正方形スポット９０から編成される。この場合、各光パターン９４のアスペクト比は４：１であり、長手側はＸ方向に沿って延びている。
【００６６】
図５ａを参照して上述したように、上述のアスペクト比により、中間視野平面８０内で照明される同じく４：１のアスペクト比を有する視野が生じることになる（アナモフィック光学要素が間に存在しないと仮定して）。投影露光装置１０の走査方向がＹ方向と一致する場合には、図６に示している光学インテグレーター７２の照明は、走査方向Ｙに沿って延びる短辺と、Ｘ方向に延びる長辺とを有する照明視野１４が生じることになる。極Ｐ１、Ｐ２内にある光入射ファセット９２のみが照明されるので、光は、二重極照明設定において特徴的なように、中間視野平面８０上に、専ら反対辺から傾斜して入射することになる。
【００６７】
照明視野を例えば２：１のアスペクト比を有する半分の幅のものとすべき場合には、２つの中間位置が２つのスポット９０によって同時に照明されるように、各光パターンＬＰ内の左右のスポット９０を中心に対してシフトさせることができる。この場合、中間視野平面８０内（及びあらゆるその後の視野平面内）の照明視野も同様に２：１のアスペクト比を有することになるが、照明系１２内でいかなる光も遮蔽されないか、又はそうでなければ損失しないので、２倍の放射パワーを有する。放射パワーを倍加すべきでない場合には、左右のスポット９０は単純にオフにされる（例えば、光学インテグレーター７２から移動して離れる）。光パターンＬＰを変更することによる視野サイズの縮小は、マスク１６上に入射する光の角度分布を実質的に変更しないことに注意すべきである。
【００６８】
ＩＶ．視野絞り機能の代行
スキャナ型の投影露光装置１０の照明系１２では、視野絞り８２は、鮮明な縁部を保証する（少なくとも、走査方向Ｙに対して平行に延びる、照明視野の長辺に沿って）だけではなく、走査処理の開始及び終了それぞれにおいて、照明視野１４の走査方向Ｙに沿った長さを増減する。この開放及び遮断の機能は、マスク上の全ての点が同量の光エネルギを受けることを保証するのに必要とされる。この目的のために、通常は、走査方向Ｙに沿って移動させることができるブレードが設けられる。
【００６９】
照明系１２では、光学インテグレーター７２の光入射ファセット９２上で照明される光パターンを変更することにより、視野の幾何学形状を変更することができる。従って、少なくとも原理的には、そのような調節可能な視野絞り８２の必要はない。視野絞り８２がなければ、視野絞り対物系８４も省くことができ、それによって照明系１２の全体設計の非常に有意な簡略化が生じる。視野絞り対物系８４を有するが、簡易的な視野絞り８２、例えば、照明視野１４の長手縁部のみの境界を形成する一方で垂直縁部が専ら光学インテグレーター７２の照明によって決められる絞りを単に有することも可能である。
【００７０】
視野絞り８２及び視野絞り対物系８４を省くべきである場合には、開放及び遮断の機能を照明系１２の残りの構成要素、特に、ミラーアレイ４６及びその制御器５０に代行させなければならない。
【００７１】
１．第１の手法
上述の代行を提供する１つの手法を単一の第１のマイクロレンズ８８の光入射ファセット９２上の異なる光パターンを示す図７から図９を参照して以下に説明する。図７は、走査処理の中間点において、照明視野１４が走査方向Ｙに沿って最大広がりを有する瞬間の光パターンＬＰを示している。光パターンＬＰは、上述のように、マスク１６上の照明視野１４のアスペクト比に対応するアスペクト比を有する矩形の幾何学形状を有する。矩形光パターンＬＰは、ｎ個のスポット行Ｒ1〜Ｒnから編成され、各行は、Ｘ方向に対して平行な線に沿って順次配置された複数のスポット９０から編成される。
【００７２】
走査処理の開始においては、光源３０によってＮ個の光パルスが生成される時間間隔Ｔにわたって線Ｒ1のみが照明される。これを図８の左の図に示している。
【００７３】
次に、別のＮ個の光パルスがマスク１６上に入射し終わるまで、第２の行Ｒ2が時間間隔Ｔにわたって更に照明され、これは図８の中央の図を参照されたい。この状況は、従来の照明系において、視野絞り８２が走査処理の開始において開放し始める状況に対応する。徐々に多くの行Ｒiをオンにする工程は、図８の右の図に示しているように、図７に示す光パターンＬＰの全てのｎ個の行Ｒ1からＲnが照明されるまで続行される。これは、従来の照明系において視野絞り８２が完全に開放される状況に対応する。
【００７４】
次に、走査処理は、光パターンを修正することなく続行される。次に、上述の工程が逆向きに辿られ、すなわち、最後の行Ｒnだけが照明されるまで最初の行Ｒ1で始まって１つづつオフにされ、これは図９の右の図を参照されたい。最後の行Ｒｎがオフにされると走査処理は終了する。
【００７５】
残りのマイクロレンズ８８の光入射ファセット９２は、図７から図９を参照して上述したものと同一方式で照明することができる。行Ｒ1からＲnの各々は、これらの行がオン又はオフにされる時に同数Ｎ個の光パルスを受けるので、マスク１６上の各点が、走査処理全体の間に正確に同数の光パルスを受けることが保証される。従って、光源３０は、光パルスの数に関する上述の条件が確実に成立することを保証するように、ミラー制御器５０と同期させなければならない。
【００７６】
行Ｒ1からＲnのオン又はオフは、オン又はオフにされるスポットが、それぞれ、望ましい位置に誘導されるか、又は光学インテグレーター７２の外側の光吸収面に誘導されるかのいずれかであるように、対応するミラー要素Ｍijにおいて偏向角を設定することによって容易に達成することができる。スポット９０をオン又はオフにすべきである場合には、光学インテグレーター７２の光入射ファセットにわたってスポットを移動させることが必要である。望ましくない摂動を回避するために、スポット９０は、連続する光パルスの間の間隔中に移動させなければならない。この移動は、ミラー要素Ｍijの非常に迅速な移動を必要とする。
【００７７】
２．第２の手法
長い距離にわたるスポット９０のそのような迅速な移動は、スポット９０を完全にオン又はオフにするのではなく、単一の第１のマイクロレンズ８８の光入射ファセット９２にわたって連続的に移動される場合に回避することができる。
【００７８】
この手法を図１０から図１２を参照して以下に説明する。
【００７９】
図１０は、３つの隣接するマイクロレンズ８８の光入射ファセット９２ａ、９２ｂ、９２ｃ上の上面図である。光入射ファセット９２ａ、９２ｂ、９２ｃには、走査方向Ｙに沿って異なる高さの中心ストライプが覆われずに残るように、それぞれ遮光体対９６ａ、９６ｂ、９６ｃが固定される。この実施形態では、遮光体対９６ａ、９６ｂ、９６ｃは、中央の覆われないストライプが、Ｘ方向には制限されず、Ｙ方向に沿ってのみ制限されるように寸法決めされる。
【００８０】
簡略化の目的で、光学インテグレーター７２の光入射ファセット９２の３分の１に遮光体９６ａが設けられ、３分の１に遮光体９６ａが設けられ、残りの３分の１に遮光体９６ｃが設けられると仮定している。
【００８１】
図１１ａは、３種類９２ａ、９２ｂ、９２ｃの光入射ファセットが同数照明される場合に、中間視野平面８０内で得られる強度分布を略示している。Ｙ方向に沿った強度プロフィールは、最上位に達するまで増加し、その後再度減少する。この強度プロフィールは、走査方向Ｙに沿った台形強度プロフィールに近似する。異なる遮光体９６ａ、９６ｂ、９６ｃの数が増加すると、この近似は改善する。台形強度プロフィールの高さ及び傾きは、主に遮光体９６ａ、９６ｂ、９６ｃの分布によって決められる。
【００８２】
走査処理の開始及び終了においては、走査方向Ｙに沿った強度プロフィールを修正すべきである。図１１ｂ、図１１ｃ、及び図１１ｄは、図１１ａに示している強度プロフィールが、如何にして右側から徐々に切り整えられるかを示している。トリミング工程は、スポット９０を走査方向Ｙに沿って遮光体９６ｃで覆われた光入射ファセット９２ｃ上で移動させることで始まる。この場合、遮光体９６ｃのうちの１つに最初に隣接しているスポット９０の行がこの遮光体によって完全に遮蔽されることになり、この遮蔽は、図１１ｂに白い正方形９０’で示している。この工程は繰り返されるが、今度は、遮光体９６ｂが設けられた光入射ファセット９２ｂ上で照明されるスポット９０も同様に同じ方向に沿って移動される。その結果、遮光体９６ｂのうちの１つによってスポット９０’’の行も同様に遮蔽される。この状況を図１１ｃに例示している。
【００８３】
強度プロフィールの最上位に達すると、遮光体９６ａが設けられた光入射ファセット９２ａ上のスポット９０も同様に走査方向Ｙに沿って移動されることになる。その結果、遮光体９６ａのうちの１つによってスポット９０’’’の行も同様に遮蔽される。この状況を図１１ｄに例示している。走査処理の開始においては、この工程を反対側から逆の順序で繰り返さなければならない。
【００８４】
異なる遮光体対９６ａ、９６ｂ、及び９６ｃでそれぞれ覆われる光入射ファセット９２ａ、９２ｂ、９２ｃは、瞳面７０内の強度分布に対する悪影響が最小にされるように、光学インテグレーター７２の入射面にわたって分布させなければならない。そのような最適化された分布なしでは、スポット９０が、走査処理の開始及び終了中に走査方向Ｙに沿って移動される時に、瞳面７０内の光強度分布に対応する照明角度分布が変化することが生じる可能性がある。
【００８５】
図１２ａから図１２ｃは、２つの極Ｐ１、Ｐ２が、光学インテグレーター７２の光入射ファセット上で照明される二重極照明設定における上述の原理を示している。走査処理の開始及び終了においては、遮光体９６ｃが設けられた光入射ファセット９２ｃのみがマスク１６の照明に寄与する。走査処理が続くと、遮光体９６ｂが設けられた光入射ファセット９２ｂも同様にマスク１６の照明に寄与し、これは図１２ｂを参照されたい。最後に、遮光体９６ａが設けられた光入射ファセット９２ａも同様にマスク１６の照明に寄与し、これは図１２ｃを参照されたい。
【００８６】
図１２ａから図１２ｃで分るように、異なる種類の光入射ファセット９２ａ、９２ｂ、９２ｃは、これらの異なる種類の光入射ファセット９２ａ、９２ｂ、９２ｃのオン及びオフが各極Ｐ１、Ｐ２内の強度均衡に大きく影響を与えないように極Ｐ１、Ｐ２にわたって分布される。そのような均衡は、異なる種類の光入射ファセットが、図１２ａから図１２ｃそれぞれの上部から下部に延びる３つの線に沿って配置された場合は得ることができない。
【００８７】
この手法は、必要に応じて第１の手法と組み合わせることができる。この場合、走査方向Ｙに沿って照明視野１４の台形又はあらゆる他の非矩形強度プロフィールを得ることができ、しかも遮光体対９６ａ、９６ｂ、９６ｃを用いずに得ることができる。この場合、オフにされるスポット９０の行は遮光体へと移動せず、スポットを光学インテグレーター７２の外側の吸収面に移動させることによってオフにされる。２つの連続する光パルス間の時間間隔が、スポット９０を吸収面まで移動するのに十分であることを保証することのみが必要である。
【００８８】
３．第３の手法
視野絞り対物系８４のみを省き、その一方で照明系１２内の別の位置において可動絞りブレードを用いることも可能である。これをミラーアレイ４６、第１のコンデンサー５８、及び第１のマイクロレンズ８８と第２のマイクロレンズ９４とを有する光学インテグレーター７２を示す図２の抜粋図である図１３に略示している。
【００８９】
実線は、マイクロミラーＭijのうちの第１の行ＲＭ1のマイクロミラーＭijから射出する光線ＬＭ1を示している。この第１の行ＲＭ1のマイクロミラーＭijは、光学インテグレーター７２の第１のマイクロレンズ８８の光入射ファセット９２の上部部分のみを照明するように制御される。その結果、光線ＬＭ1は、マスク１６上の視野１４のうちでその縁部のうちの１つに最近接の部分を照明する。
【００９０】
破線は、ミラーアレイ４６のうちの中央行ＲＭ5内のマイクロミラーＭijから射出する光線ＬＭ5を示している。この中央行ＲＭ5のマイクロミラーＭijは、光線ＬＭ5が、第１のマイクロレンズ８８の光入射ファセット９２の中央部分のみを照明するように制御される。その結果、光線ＬＭ5は、マスク１６上で照明される視野１４の中心を横断する線を照明する。
【００９１】
点線は、マイクロミラーＭijのうちの最終行ＲＭ9のマイクロミラーＭijから射出する光線ＬＭ9を示している。この最終行ＲＭ9のマイクロミラーＭijは、光線ＬＭ9が、第１のマイクロレンズ８８の光入射ファセット９２の下部部分のみを照明するように制御される。その結果、光線ＬＭ9は、マスク１６上で照明される視野１４のうちで光線ＬＭ1によって照明される縁部と反対に配置された縁部に最近接の部分を照明する。
【００９２】
マイクロミラーアレイ４６の直近には、不透明のブレード９８が、走査処理中にアクチュエータ１００を用いて走査方向Ｙに沿ってこのブレード９８を移動させることができるように配置される。図１３に矢印で示しているように、ブレード９８が下向きに移動し始めると、ブレード９８は、最初にマイクロミラーＭijのうちの第１の行ＲＭ1のマイクロミラーＭijから射出する光線ＬＭ1を遮光することになる。その結果、マスク１６上で照明される視野１４は、Ｙ方向から切り整えられることになる。次に、ブレード９８は、マイクロミラーＭijの隣接する行ＲＭ2から射出する光線を遮蔽することになり、それによって照明視野１４の更に別のトリミングが生じ、以降同様に続く。
【００９３】
ブレード９８が、中央行ＲＭ5に達するまで移動し続けると、マスク１６上で照明される視野１４は、走査方向Ｙに沿ってその元の長さの半分しか持たないことになる。
【００９４】
従って、第１のマイクロレンズ８８の光入射ファセット９２のある一定の部分を照明するミラー要素Ｍijを適切に選択し、不透明のブレード又は別のダイヤフラムを用いてミラー要素Ｍijを遮蔽することにより、マスク１６上で照明される視野１４の幾何学形状を変更することができる。
【００９５】
Ｖ．作動方法
図１４は、本発明によりマイクロリソグラフィ投影露光装置の照明系を作動させる方法の主要段階を示す流れ図である。
【００９６】
第１の段階Ｓ１では、マイクロリソグラフィ投影露光装置１０の照明系１２が準備される。照明系１２は、複数の光入射ファセット９２を有する光学ラスタ要素７２を含む。
【００９７】
段階Ｓ２では、個別スポット９０から編成される光パターンが、光学ラスタ要素７２の光入射ファセット９２上に生成される。
【００９８】
段階Ｓ３では、マスク平面８６内で照明される視野１４の幾何学形状を変更すべきであると判断される。上述の判断を行う理由は、マスク１６の変更、又は走査処理の開始及び終了それぞれにおいて照明視野１４を開放及び遮断することを必要とする走査処理の変更とすることができる。
【００９９】
次に、光入射ファセット９２上の光パターンが、上述のように、スポットを再配列、及び／又は除去、及び／又は追加することによって変更される。
【０１００】
好ましい実施形態の以上の説明は、一例として提供したものである。提供した開示内容から、当業者は、本発明及びそれに伴う利点を理解するだけでなく、開示した構造及び方法に対する明らかな様々な変形及び修正を見出すであろう。従って、本出願人は、特許請求の範囲及びその均等物によって定められる本発明の精神及び範囲に収まる全てのそのような変形及び修正を網羅することを求めるものである。
【符号の説明】
【０１０１】
７２  光学ラスタ要素
９０  スポット
９２  光入射ファセット
ＬＰ  光パターン
【図１】
0005519664.tif 000002
【図２】
0005519664.tif 000003
【図３】
0005519664.tif 000004
【図４】
0005519664.tif 000005
【図５ａ】
0005519664.tif 000006
【図５ｂ】
0005519664.tif 000007
【図６】
0005519664.tif 000008
【図７】
0005519664.tif 000009
【図８】
0005519664.tif 000010
【図９】
0005519664.tif 000011
【図１０−１１ｄ】
0005519664.tif 000012
【図１２ａ】
0005519664.tif 000013
【図１２ｂ】
0005519664.tif 000014
【図１２ｃ】
0005519664.tif 000015
【図１３】
0005519664.tif 000016
【図１４】
0005519664.tif 000017